(57)【特許請求の範囲】
【請求項１】
テレビ番組欄のデータが記録されている記録手段と、
前記記録手段に記録されたデータに基づいて、テレビ番組欄の一部の表示範囲を所定の表示部に表示する表示手段と、
前記表示手段に表示されたテレビ番組欄から予約記録する番組を指定する指定手段と、
前記指定された番組の予約記録に関するデータを前記記録手段から呼び出し、録画予約信号を生成する生成手段と、
前記テレビ番組欄の前記表示範囲を拡大または縮小させる表示範囲変更手段と、
前記指定手段の操作に基づいて、前記表示範囲変更手段により拡大または縮小された前記テレビ番組欄の前記表示範囲を上下左右の方向に移動させる移動手段と
を備えることを特徴とするテレビ番組記録予約装置。
【請求項２】
テレビ番組欄のデータを記録する記録ステップと、
前記記録ステップの処理で記録されたデータに基づいて、テレビ番組欄の一部の表示範囲を所定の表示部に表示する表示ステップと、
前記表示ステップの処理で表示されたテレビ番組欄から予約記録する番組を指定する指定ステップと、
前記指定された番組の予約記録に関するデータを前記記録ステップの処理で記録されたデータから呼び出し、録画予約信号を生成する生成ステップと、
前記テレビ番組欄の前記表示範囲を拡大または縮小させる表示範囲変更ステップと、
前記指定ステップの処理での操作に基づいて、前記表示範囲変更ステップの処理により拡大または縮小されたテレビ番組欄の表示範囲を上下左右の方向に移動させる移動ステップと
を含むことを特徴とするテレビ番組記録予約方法。
【発明の詳細な説明】
【０００１】
【発明の属する技術分野】
本発明は、例えば放送衛星を介して放送される放送プログラムをビデオテープレコーダにおいて予約記録する場合に用いて好適なテレビ番組記録予約装置および方法に関する。
【０００２】
【従来の技術】
従来、ビデオテープレコーダにおいて放送プログラム（番組）を予約記録（録画）する場合、次のように行っていた。すなわち、新聞などに記載されているテレビ番組覧から、所望の放送プログラムの放送チャンネル、並びに放開始時時刻と終了時刻とを確認し、リモートコントローラ（以下、リモコンと略記する）にこれを入力し、ビデオテープレコーダ本体に転送する。あるいはまた、ビデオテープレコーダ本体に直接このチャンネルと時刻が入力される場合もある。
【０００３】
また、最近、このような時刻を入力する方式に替わるＧコード方式が普及しつつある。Ｇコード方式においては、各放送プログラム毎に所定の番号（Ｇコード）が付与されており、使用者は新聞などのテレビ番組覧から予約記録を希望する放送プログラムのＧコード（番号）を確認し、この番号をリモコンからＧコード対応のビデオテープレコーダ本体に入力するか、あるいは本体に直接入力する。本体は、このＧコードを、放送チャンネル、放送開始時刻および終了時刻に変換する。
【０００４】
また、Ｇコード方式に対応していないビデオテープレコーダに予約記録動作を実行させるための専用の装置（アダプタ）も市販されている。この装置は、Ｇコードを入力すると、そのＧコードに対応する時刻にビデオテープレコーダに対して所定の放送チャンネルの記録動作を開始させるリモコン信号を出力し、Ｇコードに対応する終了時刻になったとき、記録動作を終了させるリモコン信号を出力する。
【０００５】
【発明が解決しようとする課題】
しかしながら、上記した従来のいずれの方法も、新聞などのテレビ番組欄から所望の放送プログラムを特定するチャンネル、時刻あるいは数字などを入力しなければならず、操作性が悪い課題があった。
【０００６】
本発明はこのような状況に鑑みてなされたものであり、操作性を改善し、簡単に予約記録を行うことができるようにするものである。
【０００７】
【課題を解決するための手段】
本発明のテレビ番組記録予約装置は、テレビ番組欄のデータが記録されている記録手段と、記録手段に記録されたデータに基づいて、テレビ番組欄の一部の表示範囲を所定の表示部に表示する表示手段と、表示手段に表示されたテレビ番組欄から予約記録する番組を指定する指定手段と、指定された番組の予約記録に関するデータを記録手段から呼び出し、録画予約信号を生成する生成手段と、テレビ番組欄の表示範囲を拡大または縮小させる表示範囲変更手段と、指定手段の操作に基づいて、表示範囲変更手段により拡大または縮小されたテレビ番組欄の表示範囲を上下左右の方向に移動させる移動手段とを備えることを特徴とする。
【０００８】
本発明のテレビ番組記録予約方法は、テレビ番組欄のデータを記録する記録ステップと、記録ステップの処理で記録されたデータに基づいて、テレビ番組欄の一部の表示範囲を所定の表示部に表示する表示ステップと、表示ステップの処理で表示されたテレビ番組欄から予約記録する番組を指定する指定ステップと、指定された番組の予約記録に関するデータを記録ステップの処理で記録されたデータから呼び出し、録画予約信号を生成する生成ステップと、テレビ番組欄の表示範囲を拡大または縮小させる表示範囲変更ステップと、指定ステップの処理での操作に基づいて、表示範囲変更手段により拡大または縮小されたテレビ番組欄の表示範囲を上下左右の方向に移動させる移動ステップとを含むことを特徴とする。
【０００９】
上記構成のテレビ番組記録予約装置および方法においては、テレビ番組欄の表示範囲が、拡大または縮小されて、予約記録する番組の指定の操作に基づいて移動される。
【００１０】
【発明の実施の形態】
図１は、本発明が適用されるデータ放送システムの構成例を示している。情報提供者としての新聞社は、大型計算機１を有している。この大型計算機１には、紙面データベースが蓄えられている。この紙面データベースは、新聞に印刷するための記事情報や、レイアウト情報などを含んでいる。このデータベースのデータは、必要に応じてワークステーション２に伝送され、そこにおいて編集される。
【００１１】
即ち、各紙面（ジャンル）毎に、受信側において最も検索し易い形に記事データを編集する。例えば、この編集により、レイアウトはそのままで、見出しだけが見える形で紙面がそのまま縮小された検索のための画面を作成する。さらにまた、この見出しから、それに対応する記事を表示することができるように、検索の画面（見出し）と、その詳細を記述した記事との関係付けが行われる。このように、受信側で検索し易い形態に編集したデータが、地上のデータ回線を介して放送センタ（放送局）３に伝送される。
【００１２】
放送センタ３は、例えば図２に示すような送信装置を有している。即ち、新聞社から伝送されくるデータは、新聞データ、スクランブルキー、共通情報、受信装置ＩＤ、および契約内容などのデータとなされている。このうち、新聞データは、データスクランブラ１４に供給され、ＰＮ（ｐｓｅｕｄｏｎｏｉｓｅ）発生器１３が出力する疑似ランダム系列に対応してスクランブルされ、独立データチャンネル多重化回路１２に出力される。ＰＮ発生器１３が発生する疑似ランダム系列は、新聞社より供給されるスクランブルキーに対応して設定される。
【００１３】
このスクランブルキーの他、共通情報、受信装置ＩＤおよび契約内容は、暗号化回路１１に供給され、暗号化される。暗号化されたデータは、関連情報として、独立データチャンネル多重化回路１２に供給される。
【００１４】
独立データチャンネル多重化回路１２は、データスクランブラ１４より供給されるスクランブルされた新聞データと、暗号化回路１１より供給される関連情報とを多重化し、ディジタルチャンネル信号多重化回路１５に出力する。
【００１５】
以上の構成が、図４を参照して後述する独立データチャンネルにおけるデータを生成するためのエンコーダ２５を構成している。
【００１６】
ディジタルチャンネル信号多重化回路１５にはまた、図３を参照して後述する、ディジタルチャンルネル信号として伝送される音声信号（少なくともその一部は、後述する映像信号に付随する音声信号である）が入力される。ディジタルチャンネル信号多重化回路１５は、入力される音声信号（ディジタル音声信号）と、エンコーダ２５より供給されるデータとを多重化し、４相ＤＰＳＫ変調器１６に供給する。
【００１７】
４相ＤＰＳＫ変調器１６は、入力されたデータを４相ＤＰＳＫ変調し、映像信号／ディジタルチャンネル信号多重化回路１７に出力する。この映像信号／ディジタルチャンネル信号多重化回路１７にはまた、放送センタ３において放送する映像信号が入力されている。ディジタルチャンネル信号多重化回路１５に入力される音声信号がディジタル信号であるのに対して、映像信号／ディジタルチャンネル信号多重化回路１７に入力される映像信号はアナログ信号とされている。
【００１８】
映像信号／ディジタルチャンネル信号多重化回路１７は、入力される映像信号と、４相ＤＰＳＫ変調器１６より供給される信号とを周波数多重化し、ＦＭ変調器１８に出力する。ＦＭ変調器１８は、入力された信号で所定のキャリアをＦＭ変調し、アップコンバータ１９に出力する。アップコンバータ１９は、入力されたＦＭ信号の周波数をギガヘルツのオーダの周波数に周波数変換する。アップコンバータ１９より出力されたＦＭ信号は、電力増幅器２０により電力増幅された後、送信アンテナ２１に供給され、そこから衛星（放送衛星または通信衛星）４（図１）に送出される。
【００１９】
図３は、ＦＭ変調器１８に入力される信号の周波数スペクトラムを表している。同図に示すように、映像信号は約４．５ＭＨｚまでの周波数帯域を有しており、４相ＤＰＳＫ変調器１６より出力される信号は、５．７２７２７２ＭＨｚの周波数を副搬送波とする信号となされている。即ち、映像信号と４相ＤＰＳＫ信号とは、周波数多重されて伝送されることになる。
【００２０】
図４は、４相ＤＰＳＫ変調されたディジタルチャンネルデータのフォーマット（Ａモードにおけるフォーマット）を表している。同図に示すように、横６４ビット、縦３２ビットの、合計２０４８ビットのデータにより、１フレームのデータが構成されている。１フレームのデータは１ｍｓの時間で伝送されるため、ディジタルチャンネルデータの伝送レートは２．０４８Ｍｂｐｓとなる。
【００２１】
フレームの最初の２ビット×３２ビットの範囲には、フレーム同期信号、制御信号およびレンジビット信号が記録されるようになされている。
【００２２】
フレーム同期信号は、各フレームの同期を取るための信号である。制御信号は、１６ビットが１単位とされ、表１に示すように、最初の１ビットは、ＡモードまたはＢモードのいずれのモードであるのかを表している。Ｂモードについては後述する。次の第２ビットと第３ビットにより、テレビジョン音声信号（映像信号に付随する音声信号）がステレオ信号であるのか、モノラル１チャンネルの信号であるのか、モノラル２チャンネルの信号であるのかを表すようになされている。
【００２３】
また、第４ビットと第５ビットは、テレビジョン音声以外に付加される付加信号がステレオ音声信号であるのか、モノラル１チャンネルの音声信号であるのか、モノラル２チャンネルの音声信号であるのか、あるいはまた、音声以外の信号であるのかを表している。第６ビット乃至第１５ビットは、将来の使用のための拡張ビットとされている。第１６ビットは、音声出力を抑圧するかしないかを表すための符号とされている。
【００２４】
【表１】
0003546841.tif 000002
【００２５】
表２は、第１乃至第５ビット、および第１６ビットのより詳細な内容を表している。即ち、第１ビットが０であるとき、モードがＡであることを表し、１であるとき、モードがＢであることを表している。また、第２ビットが０であり、第３ビットも０であるとき、テレビジョン音声信号がステレオであり、第２ビットが０であり、第３ビットが１であるとき、テレビジョン音声信号がモノラル２チャンネルの信号（図４のフォーマット中の音声１と２に記録される）であることを表している。また、第２ビットが１であり、第３ビットが０であるとき、テレビ音声信号はモノラル１チャンネルの信号（音声１に記録される）であることを表している。第２ビットと第３ビットが両方とも１である状態は、特に使用されていない。
【００２６】
また、第４ビットが０であり、第５ビットも０であるとき、付加音声がステレオであることを表し、第４ビットが０であり、第５ビットが１であるとき、付加音声がモノラル２チャンネルの信号（音声３と４に記録される）であることを表している。さらに、第４ビットが１であり、第５ビットが０であるとき、付加音声がモノラル１チャンネルの信号（音声３に記録される）であることを表している。第４ビットと第５ビットが両方とも１であるとき、伝送されるのは音声以外の信号であることを表している。
【００２７】
さらに、第１６ビットは、音声出力を抑圧するとき１とされ、抑圧を解除するとき０とされる。
【００２８】
【表２】
0003546841.tif 000003
【００２９】
図４に示すように、最初の２×３２ビットの範囲の次の１０×３２ビットの範囲、およびそれに続く１０×３２の３つの範囲には、それぞれ音声１乃至音声４の音声データが記録されるようになされている。１０×３２ビットの各範囲には、音声データが３２サンプル分配置される。即ち、１サンプル当りのビット数は１０ビットとされている。しかしながら、アナログ音声信号は、１サンプル当り１４ビットのディジタルデータに変換される。このうち、有効桁の上位の１０ビットが選択され、１サンプルのデータとして伝送される。即ち、図５に示すように、１４ビットのデータのうちの有効桁の上位１０ビットのデータが選択されるため、その選択される範囲（レンジ）は、５つある。最初の２×３２ビットの範囲に記録されるレンジビットは、この５個のレンジのうちのどのレンジの１０ビットであるのかを表している。
【００３０】
Ａモード時においては、この１０×３２ビットの範囲に、１チャンネルの音声データを配置するようにするのであるが、Ｂモード時においては、２０×３２ビットの範囲に１チャンネル分の音声データが配置されるようになされる。即ち、Ｂモード時においては、より高品位の音声データを伝送することができるようになされている。
【００３１】
音声４のデータの次には、１５×３２ビットの範囲に、独立データチャンネルのデータが配置され、さらに最後の７×３２ビットの範囲には、横方向の誤り訂正符号（Ｃ１）が配置されている。
【００３２】
この図４に示す独立データチャンネルのデータは、パケットを単位としてデータが伝送される。図６は、このパケットのフォーマットを表している。同図に示すように、１パケットは２８８ビットにより構成され、先頭の１６ビットはヘッダとされ、それに続く１９０ビットに実質的なデータが配置され、最後の８２ビットに、パケットの誤り訂正符号（Ｃ１）が配置される。１６ビットのヘッダのうち、最初の５ビットは、サービス識別符号とされ、残りの１１ビットがサービス識別符号の横方向の誤り訂正符号（チェックビット）（Ｃ１）とされる。このサービス識別符号は、図１１を参照して後述するように、関連情報と新聞データの識別を行うための符号などを含んでいる。
【００３３】
ヘッダのサービス識別符号としては、５ビットが用意されているため、論理的には３２種類のサービスを識別することが可能である。しかしながら、図７に示すように、５ビットの各ビットがすべて０である場合は、ダミーパケットとして送出するデータが存在しない場合の識別符号とされている。従って、実際には、残りの３１種類の識別符号により、３１種類のサービスを識別することが可能となる。
【００３４】
図４に示した１フレーム分のデータは、図８に示すように、９フレーム分集められ、これによりスーパフレームが構成される。１パケットのビット列は、１スーパフレームのデータより構成される。
【００３５】
また、同図に示すように、各フレームにおいて、データは、縦方向に順次伝送される。このため、バーストエラーは、図８において縦方向に発生することになる。そこで、このバーストエラーに対して強くするために、１５×３２ビットの範囲の独立データチャンネルは、斜め方向に多重化が行われる。図８に示すように、独立データチャンネルの横方向の長さは１５ビットであるため、この斜めの方向は１５通り存在する。図６に示した２８８ビットよりなるパケットは、この各方向に対応される。従って、独立データチャンネルには、１５通りの位置のパケット（１５チャンネルのパケット）が存在することになる。このように、斜め方向に多重化を行うことにより、各パケットを構成するデータをインターリーブすることが可能となり、バーストエラーに対して強くなる。
【００３６】
図９は、独立データチャンネルにおけるパケットの構成を模式的に表している。同図に示すように、１５通りの各パケットのうちの１つのパケットには、図２に示した暗号化回路１１が出力する関連情報が割り付けられる。そして、残りの１４個のパケットには、例えば各新聞社Ａ乃至Ｉの新聞データ（データスクランブラ１４より出力される新聞データ）を割り付けることができる。但し、１つの新聞社において、複数のパケットを同時に使用することも可能である。図９に示した実施の形態においては、関連情報として１つのパケットが用いられ、新聞社Ａ，Ｂ，Ｃの新聞記事データとして、それぞれ２パケットずつが割り当てられている。
【００３７】
図１０は、１５通りのパケットの位置毎のデータを模式的に表している。同図に示すように、この実施の形態においては、最初のパケットに関連情報が割り当てられ、第２番目乃至第１５番目の各パケットには、それぞれ新聞社Ａ乃至新聞社Ｉのデータが割り当てられている。即ち、関連情報と新聞データＡ乃至Ｉが同時に各家庭に伝送されることになる。
【００３８】
図１１は、パケットのより詳細なフォーマットを表してる。同図に示すように、２８８ビットよりなるパケットは、その最初の１６ビットがヘッダとされ、そこに関連情報や新聞データなどの識別データ（図６におけるサービス識別データ）が配置される。ヘッダに続く１９０ビットには、関連情報あるいは新聞データが配置され、最後の８２ビットに誤り訂正符号が配置される。
【００３９】
関連情報には、共通情報と個別情報の２種類がある。共通情報の先頭には、共通情報であるのか、個別情報であるのかを識別するための種類識別コードが割り当てられる。その次には、新聞Ａ，Ｂ，Ｃ，・・・のいずれの新聞のデータであるのかを識別するための新聞データ識別子が割り当てられている。さらにそれに続く位置には、使用するパケット位置のデータが配置されている。即ち、上述した１乃至１５のいずれの位置のパケットのデータであるのかを表すコードが、ここに割り当てられることになる。
【００４０】
さらに、その次には、スクランブルキーが割り当てられている。このスクランブルキーが、後述するデータ受信装置６において受信され、図２のデータスクランブラ１４においてスクランブルされたデータが、デスクランブル可能となる。
【００４１】
スクランブルキーの次には、放送開始時刻と放送終了時刻がさらに割り当てられている。放送終了時刻の次には、その他必要なコードを割り当てることが可能となされている。
【００４２】
一方、個別情報には、その先頭に、種類識別コードが割り当てられ、その次に受信装置ＩＤが割り当てられている。この受信装置ＩＤは、例えば各家庭に配置された図１の各データ受信装置６に対して割り当てられるものである。この受信装置ＩＤの次には、この受信装置ＩＤを有する契約者の契約内容が割り当てられている。以下、受信装置ＩＤとそれに対応する契約内容が順次割り当てられている。
【００４３】
図１０に示したように、最初のパケットに割り当てられている関連情報が常に伝送されるため、受信側においては、この関連情報をモニタすることにより、所定の新聞社のスクランブルキーや、その放送開始時刻、終了時刻を検知することができる。また、共通情報が送られていない所定の期間において、適宜伝送される個別情報に含まれる受信装置ＩＤを有するデータ受信装置は、対応する契約内容に記述されている所定の新聞社の新聞データをダウンロードすることが可能となる。
【００４４】
一方、新聞データは、検索紙面のデータと記事紙面のデータとに区分される。検索紙面のデータは、その最初にスタートコードが割り当てられている（検索紙面ａ）。このスタートコードは、例えば新聞Ａの新聞データが、ここから開始されることを表すものである。スタートコードの次には、新聞データ識別子が配置されている。この新聞データ識別子は、新聞社Ａ，Ｂ，Ｃ，・・・のいずれの新聞社のデータであるのかを識別するためのコードである。この新聞データ識別子の次には、検索紙面と記事紙面とを識別するための種類識別コードが割り当てられている。さらに、その次には、紙面識別データが割り当てられている。この紙面識別データは、例えば政治面、経済面、スポーツ面などの紙面（ジャンル）を識別するものである。
【００４５】
紙面識別データの次には、見出し文が配置され、さらにその次に、その見出し文の文字サイズとフォント、さらにその位置データがそれぞれ配置される。また、位置データの次には、その見出し文が縦書きであるのか、横書きであるのかを表すレイアウトデータが配置されている。そして、さらにその次には、見出し文に対応する詳細な記事が記載されている位置へアクセスするためのポインタが配置されている。
【００４６】
以上の検索紙面ａは、最初のパケットのフォーマットであるが、２番目以降のパケットにおいては、検索紙面ｂに示すようなフォーマットでよい。即ち、このパケットは、スタートコードと新聞データ識別子が省略されたものとなっている。
【００４７】
一方、新聞データのうちの記事紙面は、その先頭に、検索紙面と記事紙面とを識別するための種類識別データが配置され、その次に、レイアウト（縦、横のレイアウト）が配置されている（記事紙面ａ）。レイアウトの次には、記事を要約した概要、そして、それに続いて、詳細な記事の内容を表す記事データが配置されている。概要あるいは記事データが長く、１パケット内に収容しきれない場合においては、上述した記事紙面ａに続いて、記事紙面ｂに示すパケットが必要に応じて付加される。そして、記事データの終了位置には、エンドコードが付加される。
【００４８】
図１２は、検索紙面と記事紙面を模式的に表している。検索紙面は、図１２（ａ）に示すように、見出しだけが見えるように表示される。これに対して、記事紙面は、同図（ｂ）に示すように、見出しだけでなく、それに続いて概要、さらに詳細な記事が見えるように表示される。契約者は必要に応じて検索紙面の所定の見出しを、例えばマウスなどによりクリックすることにより、それを選択すると、その見出しに対応する概要と記事が、図１２（ｂ）に示すように表示されるようになされている。
【００４９】
図１３は、検索紙面と記事紙面の各パケットの全体の配置を模式的に表している。同図に示すように、記事紙面のパケットに先行して、検索紙面のパケットが配置されており、各検索紙面のパケットには、対応する記事紙面へアクセスすることを可能とするためのポインタが配置されている。
【００５０】
以上のようなデータが、図１における放送センタ３から衛星４に伝送され、衛星４から、さらに例えば各家庭における受信者（契約者）に伝送される。各家庭においては、室外装置５により受信された信号が、所定の中間周波信号（ＩＦ信号）に変換される。このＩＦ信号は、データ受信装置６に入力される。データ受信装置６により受信されたデータは、そこにおいて復調され、記録装置７に供給されて、例えばミニディスク（商標）８などの記録媒体に記録される。使用者は、このミニディスク８を、例えばポータブル端末器９に装着し、受信したデータを検索紙面から検索し、必要な記事紙面を表示させることができる。あるいはまた、記録装置７に記録したデータを読み出して、必要に応じてテレビジョン受像機１０に出力し、表示させることができる。
【００５１】
図１４は、上述したようにして、放送する映像信号に対応するテレビ番組欄の伝送フォーマットを表している。このテレビ番組欄に関するデータも、上述したパケットを単位として、新聞データの１つとして伝送される。図１４に示すように、このデータは、チャンネルヘッダと各チャンネルのデータ（この実施の形態の場合、チャンネル１からチャンネルＮまでのＮ個のチャンネルのデータ）が配置されている。チャンネルヘッダは固定長とされるが、各チャンネルのデータは可変長とされる。
【００５２】
チャンネルヘッダには、伝送するチャンネル数（この実施の形態の場合、Ｎ）がその先頭に配置され、それに続いて、各チャンネルへのオフセット値が配置される。即ち、上述したように、各チャンネルのデータは可変長とされるため、各チャンネル毎に、そのデータ長が異なる。そこで、チャンネルヘッダの先頭から各チャンネルのデータの先頭までの長さをオフセット値として伝送するのである。これにより、チャンネルヘッダから各チャンネルのデータにアクセスすることが可能となる。
【００５３】
各チャンネルのデータの先頭には、番組ヘッダが配置され、それに続いて、そのチャンネルのプログラム（番組）の情報が配置される。番組ヘッダは固定長とされるが、番組情報は可変長とされる。
【００５４】
番組ヘッダには、その先頭に、そのチャンネルにおいて放送される番組数（Ｍ）が配置され、それに続いて、各番組情報３−１乃至３−Ｍに対するオフセット値が配置される。上述したように、この番組情報も可変長とされるため、番組ヘッダの先頭から各番組情報の先頭までの長さをオフセット値として、番組ヘッダに規定しておくことで、番組ヘッダから各番組情報をアクセスすることが可能となる。各番組へのオフセット値は固定長で表される。
【００５５】
各番組情報３−１乃至３−Ｍには、その番組の開始時刻、放映時間（終了時刻）、番組名、および番組内容が配置されている。
【００５６】
このようにして伝送されるデータを復号し、ビットマップ化することにより、図１５に示すようなテレビ番組欄をＣＲＴ、ＬＣＤなどの表示部に表示することができる。同図に示すように、画面左上の原点Ｒを基準として、水平方向がＸ軸とされ、垂直方向がＹ軸とされる。表示部の上部には、一定の幅Ｗで、チャンネル１乃至チャンネルＮの各チャンネルの表示欄が設けられる。例えば東京地区の場合、ＶＨＦのチャンネルとして、チャンネル１，３，４，６，８，１０，１２があり、衛星放送のチャンネルとして、チャンネル５，７，１１がある。これらのチャンネル毎に幅Ｗの表示領域が設けられる。
【００５７】
各チャンネルの表示領域内には、新聞などに掲載されているテレビ番組欄と同様に、放送時刻の早いプログラム（番組）が上方に表示され、遅いものが順次下方に表示されるようになされている。そして、各チャンネル毎に同一の時刻における番組は、同一の水平線上に配置される。この番組欄のすべての情報（文字）を同時にＣＲＴ、ＬＣＤなどの所定の表示部に表示させると、文字が小さくなり、実質的に判読不能となる。そこで、表示は、このうちの一部（図１５において、実線の四角形状で示す範囲）のみが表示される。この表示範囲は、必要に応じて上下左右の方向に移動させることができる。
【００５８】
図１６は、表示部に表示されているプログラムの表示例を示している。この実施の形態においては、チャンネル４と、その隣のチャンネルの一部の番組名が、それを特定する数字とともに表示されている。
【００５９】
図１７は、図１に示したデータ受信装置６の構成例を示している。同図に示すように、室外装置５より入力されたＩＦ信号は、ＢＳチューナ４３に供給されている。使用者は、タイマ回路５２に契約した新聞データの放送時間を予めセットしておく。タイマ回路５２は、常に計時動作を実行しており、そのセットした時刻が到来したとき、ＣＰＵ４７に信号を出力する。ＣＰＵ４７は、プログラムＲＯＭ４９に記憶されているプログラムに従って所定の処理動作を実行する。
【００６０】
ＣＰＵ４７は、タイマ回路５２より信号が出力されたとき、電源オン／オフコントロール回路５６を制御し、電源回路５７をオンさせる。これにより、電源回路５７から各部に電力が供給され、データ受信装置６は動作可能状態となる。
【００６１】
また、このとき、ＣＰＵ４７は、ＢＳチューナコントロール回路４６を介してＢＳチューナ４３を制御し、契約した新聞社のデータが伝送されるチャンネルを選択させる。ＢＳチューナ４３は、入力されたＩＦ信号から、ＣＰＵ４７により指令されたチャンネルの信号を復号し、デコーダ４４に出力する。デコーダ４４は、メモリ４５に記憶されている、契約した新聞データのスクランブルキーを利用して、契約した新聞データが含まれるパケット位置のデータをデコードする。ＣＰＵ４７は、デコーダ４４がデコードしたデータを、記録再生回路７１を介して記録媒体としてのミニディスク（光磁気ディスク）７２に供給し、記録させる。この記録媒体は、例えばハードディスク、光ディスクなどにより構成することもできる。
【００６２】
タイマ回路５２は、予め設定した所定の放送終了時刻が到来したとき、ＣＰＵ４７に信号を出力する。このとき、ＣＰＵ４７は、電源オン／オフコントロール回路５６を介して電源回路５７を制御し、各部への電源供給を中止させる。これにより、新聞データのダウンロードが完了される。
【００６３】
ＣＰＵ４７は、使用者より所定の指令が入力されたとき、記録再生回路７１を制御し、ミニディスク７２に記録されたデータを再生させ、ビットマップデータに変換して、ＲＡＭ４８に供給し、記憶させる。そして、このデータを読み出して、ＮＴＳＣ信号発生回路５０に供給し、ＮＴＳＣビデオ信号に変換させる。ＮＴＳＣ信号発生回路５０より出力された信号は、スイッチ４２を介してテレビジョン受像機１０に出力され、表示される。あるいはまた、図１を参照して説明したように、新聞データが記録されたミニディスク７２を、ポータブル端末器９に装着することにより、ポータブル端末器９において新聞記事を見ることができる。
【００６４】
この場合、図１２を参照して説明したように、新聞データは、検索紙面と記事紙面とにより構成されるので、最初に検索紙面（図１２（ａ））を表示させ、見出しを見て、必要な見出しを選択することにより、それに対応する記事紙面（図１２（ｂ））を表示させることができる。従って、ポータブル端末器９やテレビジョン受像機１０の表示部が小さくとも、情報を効率的に表示し、その中から所望のものを迅速に選択し、表示させることができる。
【００６５】
尚、契約した新聞データの放送時刻に、使用者が他のチャンネルを受信している場合、ＣＰＵ４７は、ＮＴＳＣ信号発生回路５０を介してチャンネル変更を促すメッセージをテレビジョン受像機１０に表示させる。あるいは警告音を発生する。さらにまた、受信チャンネルを強制的かつ自動的に変更することも可能である。
【００６６】
以上においては、使用者にデータ受信装置６が動作する時刻を設定させるようにしたが、電源が入っている状態のときに、関連情報に含まれている個々の新聞データの放送開始時刻および放送終了時刻を用いて、契約した新聞データの放送時刻を予めタイマ回路５２に自動的にセットするようにすれば、使用者がいちいちデータ受信装置６が動作する時刻を設定することなく、データ受信装置６の電源がオフされている場合においても、自動的に契約した新聞データを受信させるようにすることが可能となる。
【００６７】
リモートコントローラ（リモコン）６１の番組一覧キー６２を操作すると、この操作に対応する赤外線信号がリモコン６１より出力され、リモコン受信回路５３により受信される。この信号は、リモコン受信回路５３において光電変換され、そこからコマンドデコーダ５４に出力される。コマンドデコーダ５４は、入力された信号をデコードし、入力に対応するコマンドをＣＰＵ４７に出力する。ＣＰＵ４７は、番組一覧キー６２に対応するコマンドが入力されたとき、ミニディスク７２に記録されているデータのうち、上述したテレビ番組欄のデータを記録再生回路７１に再生させる。そして、この再生データをビットマップデータに変換し、ＲＡＭ４８に供給し、記憶させる。これにより、ＲＡＭ４８には、図１５に示したテレビ番組欄のビットマップデータが展開されることなる。
【００６８】
そして、このＲＡＭ４８に展開されたデータは、ＣＰＵ４７の制御のもと、所定のタイミングで読み出され、ＮＴＳＣ信号発生回路５０に供給される。ＮＴＳＣ信号発生回路５０は、入力されたデータをＮＴＳＣ信号に変換し、出力する。この信号が、スイッチ４２を介してテレビジョン受像機１０（図１）に出力され、表示される。このとき、ＣＰＵ４７は、ビデオ出力切り換えコントロール回路５５を介して、スイッチ４２を図１７において右側に切り換えさせる。
【００６９】
このようにして、図１５において実線で示す範囲の文字が、テレビジョン受像機１０に表示される。この表示範囲は、リモコン６１の拡大キー６４または縮小キー６５を操作することにより、拡大または縮小させることができる。
【００７０】
即ち、リモコン受信回路５３、コマンドデコーダ５４を介して、これらの拡大キー６４または縮小キー６５の操作に対応する信号が入力されたとき、ＣＰＵ４７は、ＲＡＭ４８から読み出す範囲を拡大または縮小する。その結果、テレビジョン受像機１０に表示される範囲が拡大または縮小されることになる。
【００７１】
ＣＰＵ４７はまた、ＮＴＳＣ信号発生回路５０を制御し、表示画面内に、図１６に示すように、カーソルを表示させる。このカーソルは、図１６の実施の形態においては、四角形の実線で表示されている。
【００７２】
リモコン６１のスクロールキー６３を操作すると、リモコン受信回路５３、コマンドデコーダ５４を介して、ＣＰＵ４７に対してスクロールキー６３の操作に対応する信号が入力される。ＣＰＵ４７は、この入力に対応してＮＴＳＣ信号発生回路５０を制御し、カーソルをスクロールキー６３の操作方向に対応して上下方向または左右方向に移動させる。ＣＰＵ４７はまた、このカーソルの位置がテレビジョン受像機１０の表示画面の端部に達したとき、カーソルの移動をそこで中止させ、なおスクロールキー６３が操作されている場合においては、ＲＡＭ４８から読み出す範囲を順次変更する。即ち、カーソルキーが、例えば図１６において上方端部に達した状態において、スクロールキー６３を操作してカーソルをさらに上方に移動させるように操作すると、テレビ番組欄のデータが上から下方向に順次スクロールされる。このようにして、使用者は、カーソルを所望のプログラム番組に対応する位置に位置させることができる。
【００７３】
カーソルを所定の位置に移動したとき、リモコン６１の選択キー６６を操作すると、この操作に対応する信号がリモコン受信回路５３、コマンドデコーダ５４を介してＣＰＵ４７に入力される。ＣＰＵ４７は、この入力を受けたとき、そのときカーソルが位置するテレビ番組に関するデータをＲＡＭ４８から読み出す。
【００７４】
即ち、図１４に示すように、ミニディスク７２に記録された番組情報の中には、その番組の放送チャンネル、放送開始時刻および放映時間が含まれている。ＣＰＵ４７は、この放送開始時刻と放映時間に関するデータを、録画予約コントロール回路５１に出力する。録画予約コントロール回路５１は、入力されたデータを記憶する。そして、タイマ回路５２が計時する時刻が予め記憶された、その開始時刻になったとき、録画再生回路４１を制御し、記憶されたデータに対応するチャンネルの予約録画動作を開始させる。録画再生回路４１には、ＢＳチューナ４３または図示せぬＶＨＦチューナの出力が入力されており、予約時刻において、ＢＳチューナ４３あるいはＶＨＦチューナが動作状態とされ、そのビデオ信号が磁気テープに記録される。そして、予約記録開始後、放映時間に対応する時間が経過したとき、録画予約コントロール回路５１は録画再生回路４１を制御し、予約記録動作を中止させる。
【００７５】
尚、再生を指令した場合においては、録画再生回路４１より再生出力されたビデオ信号が、スイッチ４２を介してテレビジョン受像機１０に出力、表示される。
【００７６】
また、ポータブル端末器９を、例えば図１８に示すように構成し、これを用いてビデオテープレコーダに対して予約記録を実行させることができる。
【００７７】
即ち、この実施の形態においては、例えば図１７に示す装置において記録したミニディスク７２を、このポータブル端末器９に装着し、記録再生回路８３により、そこに記録されているデータを再生する。再生データは、記録再生回路８３を介してＲＡＭ８７に供給され、記憶される。プログラムＲＯＭ８８に記憶されているプログラムに従って各処理を実行するＣＰＵ８６は、このＲＡＭ８７に記憶されるデータをビットマップ化し、このデータをＬＣＤドライブ回路８４を介してＬＣＤ８５に出力し、表示させる。これにより、図１７に示した場合と同様にして、ＬＣＤ８５に、図１５と図１６に示したようなテレビ番組欄を所定の大きさで表示させることができる。
【００７８】
ＬＣＤ８５には、一体的にタッチパネル８１が装着されており、タッチパネル８１の所定の位置を指などによりタッチすると、その座標データが入力処理装置８２に供給される。この実施の形態の場合、ＬＣＤ８５に、図１６に示したカーソルを上下左右に移動させるスクロールキーが表示される。このスクロールキーをタッチパネル８１を介して操作することにより、カーソルを所定の位置に移動させることができる。
【００７９】
使用者がタッチパネル８１上のカーソル内の所定の位置を操作したとき、ＣＰＵ８６は、入力処理装置８２よりそのとき入力される座標データから、番組欄上の座標データを生成する。
【００８０】
即ち、図１５に示すように、ＬＣＤ８５に表示されている範囲は、番組欄の一部の範囲である。入力処理装置８２が出力する座標データは、図１５において、ｘｙ座標で表すタッチパネル８１上の点Ｐ（ｘ，ｙ）の座標データである。いま、このｘｙ座標の原点Ｑの番組欄（ＸＹ座標）上の座標を（Ｘ，Ｙ）とすると、番組欄のＸＹ座標上における点Ｐの座標は、（Ｘ＋ｘ，Ｙ＋ｙ）となる。ＣＰＵ８６は、Ｘ＋ｘを、図１５に示すチャンネルの幅Ｗで割算し、その商の少数部分を切り捨て、整数部分に１を加算することで、チャンネルデータ（チャンネル１乃至チャンネルＮのいずれのチャンネルであるのかを表すデータ）を得る。
【００８１】
また、ＣＰＵ８６は、そのチャンネルの座標位置Ｙ＋ｙに表示されている番組のデータをＲＡＭ８７から読み出す。そして、この読み出した番組情報に対応するデータを、リモコン信号発生回路８９に出力する。これにより、リモコン信号発生回路８９は、タッチパネル８１を操作することにより選択した番組情報に対応する赤外線信号をＬＥＤ９０に発生させる。ＬＥＤ９０より発生された赤外線信号は、図示せぬビデオテープレコーダのリモコン受信回路に送信される。これにより、そのビデオテープレコーダに記録を予約させることができる。
【００８２】
尚、ミニディスク７２に記録する番組欄のデータは、１日分の番組欄だけでなく、１週間分あるいは１月分などの番組欄とすることが可能である。
【００８３】
また、図１８の実施の形態においては、タッチパネル８１により、入力を行うようにしたが、マウス、入力ペン、キーボードなどにより入力を行うようにすることも可能である。
【００８４】
さらに、番組情報データは、１日のうち、決まった所定の時刻に数回送信するようにすることができる。
【００８５】
【発明の効果】
以上の如く本発明のテレビ番組記録予約装置および方法によれば、テレビ番組欄の表示範囲を、拡大または縮小させ、予約記録する番組を指定する操作に基づいて移動させるようにしたので、放送プログラムを予約記録するための操作が極めて簡単になる。
【図面の簡単な説明】
【図１】本発明を適用したデータ放送システムの構成を示す図である。
【図２】図１の放送センタ３の構成例を示すブロック図である。
【図３】図２のＦＭ変調器１８へ入力されるデータのスペクトラムを説明する図である。
【図４】図２のディジタルチャンネル信号多重化回路１５におけるディジタルチャンネルデータのフォーマットを説明する図である。
【図５】図４のフォーマットにおけるレンジビットを説明する図である。
【図６】独立データチャンネルのパケットのフォーマットを説明する図である。
【図７】図６のヘッダの機能を説明する図である。
【図８】独立データチャンネルにおける斜め方向多重方式を説明する図である。
【図９】図８の独立データチャンネルのパケットに記録されているデータを説明する図である。
【図１０】独立データチャンネルを構成するパケット位置を説明する図である。
【図１１】パケットの詳細なフォーマットを説明する図である。
【図１２】検索紙面と記事紙面とを説明する図である。
【図１３】検索紙面と記事紙面の関係を説明する図である。
【図１４】テレビ番組欄のデータフォーマットを説明する図である。
【図１５】テレビ番組欄とその表示範囲を説明する図である。
【図１６】テレビ番組欄の表示例を説明する図である。
【図１７】図１におけるデータ受信装置６の構成例を示すブロック図である。
【図１８】本発明を適用した記録予約装置の一実施の形態の構成を示すブロック図である。
【符号の説明】
１  大型計算機，  ２  ワークステーション，  ３  放送センタ，  ４  衛星，  ５  室外装置，  ６  データ受信装置，  ７  記録装置，  ８  ミニディスク，  ９  ポータブル端末器，  １０  テレビジョン受像機，  ４３  ＢＳチューナ，  ４４  デコーダ，  ４５  メモリ，  ４７  ＣＰＵ，  ４８  ＲＡＭ，４９  プログラムＲＯＭ，  ５０  ＮＴＳＣ信号発生回路，  ５１  録画予約コントロール回路，  ５２  タイマ回路，  ５３  リモコン受信回路，  ５４  コマンドデコーダ，  ６１  リモートコントローラ，  ７１  記録再生回路，  ７２  ミニディスク，  ８１  タッチパネル，  ８３  記録再生回路，  ８５  ＬＣＤ，  ８６  ＣＰＵ，  ８７  ＲＡＭ，  ８８  プログラムＲＯＭ，  ８９
リモコン信号発生回路，  ９０  ＬＥＤ
【図１】
0003546841.tif 000004
【図２】
0003546841.tif 000005
【図３】
0003546841.tif 000006
【図４】
0003546841.tif 000007
【図５】
0003546841.tif 000008
【図６】
0003546841.tif 000009
【図７】
0003546841.tif 000010
【図８】
0003546841.tif 000011
【図９】
0003546841.tif 000012
【図１０】
0003546841.tif 000013
【図１１】
0003546841.tif 000014
【図１２】
0003546841.tif 000015
【図１３】
0003546841.tif 000016
【図１４】
0003546841.tif 000017
【図１５】
0003546841.tif 000018
【図１６】
0003546841.tif 000019
【図１７】
0003546841.tif 000020
【図１８】
0003546841.tif 000021